(57)【要約】【課題】ＣＤプレーヤ１５が、それに装填されたデータＣＤからそれに格納されているＭＰ３等の楽曲ファイルを読み出して、そのデジタル信号をデジタル出力端子２３からＭＤプレーヤ３２等の出力先へ送る場合に、出力先で、支障なく再生を行いつつ、著作権を的確に保護する。【解決手段】装填されたディスクからサブＱコードを取得する（Ｓ４３）。該サブＱコードのコントロール領域の２番のビット値から該ディスクがＣＤ−ＤＡ及びデータＣＤのいずれであるかを判別する（Ｓ４４）。データＣＤである場合には、データＣＤから読み出した楽曲ファイルに係るデジタル信号をＰＣＭ形式へ変換し、さらに、Ｓ／ＰＤＩＦフォーマットのデジタル信号へ変換する。Ｓ／ＰＤＩＦフォーマットのデジタル信号は、そのチャンネルステータスのコピー禁止ビットをコピー第一世代にして、デジタル出力端子２３へ出力する（Ｓ４９）。【選択図】図３
2009099183.tif 000002
【特許請求の範囲】
【請求項１】
再生対象のデジタルコンテンツデータがＰＣＭ形式であるか圧縮ファイル形式であるかを判別する判別手段、及び
再生対象のデジタルコンテンツデータが圧縮ファイル形式であると前記判別手段が判別した場合には、該デジタルコンテンツデータを出力するデジタル通信規格における著作権管理情報をコピー第一世代にした再生デジタル信号をデジタル出力するデジタル出力手段、
を備えることを特徴とするデジタルコンテンツ処理装置。
【請求項２】
前記判別手段は、再生対象のデジタルコンテンツデータがＰＣＭ形式であるか圧縮ファイル形式であるかを、該デジタルコンテンツデータが格納されている記録媒体がＣＤ−ＤＡであるかデータＣＤであるかの判別に基づき判別することを特徴とする請求項１記載のデジタルコンテンツ処理装置。
【請求項３】
前記判別手段は、再生対象のデジタルコンテンツデータが格納されている記録媒体がＣＤ−ＤＡであるかデータＣＤであるかを、記録媒体のリードインエリアのサブＱコードのコントロールビットの値から判別することを特徴とする請求項２記載のデジタルコンテンツ処理装置。
【請求項４】
前記デジタル通信規格における著作権管理情報は、Ｓ／ＰＤＩＦ規格におけるチャンネルステータスフォーマットにおける著作権管理情報であることを特徴とする請求項１〜３のいずれかに記載のデジタルコンテンツ処理装置。
【請求項５】
再生対象のデジタルコンテンツデータがＰＣＭ形式であるか圧縮ファイル形式であるかを判別する判別ステップ、及び
再生対象のデジタルコンテンツデータが圧縮ファイル形式であると前記判別ステップにおいて判別した場合には、該デジタルコンテンツデータを出力するデジタル通信規格における著作権管理情報をコピー第一世代にした再生デジタル信号をデジタル出力するデジタル出力ステップ、
を備えることを特徴とするデジタルコンテンツ処理方法。
【請求項６】
請求項１〜４のいずれかに記載のデジタルコンテンツ処理装置の各手段としてコンピュータを機能させるプログラム。
【発明の詳細な説明】
【技術分野】
【０００１】
本発明は、デジタルコンテンツの不正コピーを的確に防止するデジタルコンテンツ処理装置、方法及びプログラムに関するものである。
【背景技術】
【０００２】
特許文献１は、ＣＰＳ（Copy Protection System）準拠の再生装置及び記録装置を開示する（特許文献１の図１）。特許文献１のＣＰＳ準拠の再生装置は、属性情報付加回路を装備し（特許文献１の図４）、デジタル出力信号中にコピー制御情報とは別途に属性情報を付加し、再生装置にデジタル信号を経由させる場合には、属性情報を"ｐｌａｙｅｒ"に設定して、記録装置へ出力するようにしている（特許文献１の段落００５５及び図３（ｂ），（ｃ））。これに対し、特許文献１のＣＰＳ準拠の記録装置は、供給されたデジタル信号に対し、その制御情報が"Ｃｏｐｙ  Ｏｎｃｅ"になっていても、属性情報が"ｐｌａｙｅｒ"となっていれば、コピーを作成しないようにしている（特許文献１の段落００６２，００７９及び図７のフローチャートにおけるＳ４→Ｓ５→エンド）。
【０００３】
図６は従来のＣＤプレーヤ１１５を装備するオーディオシステム１１０の概略構成図である。オーディオシステム１１０におけるアンプ３１及びＭＤプレーヤ３２は、後述の本発明の実施例のオーディオシステム１０におけるアンプ３１及びＭＤプレーヤ３２と同一であるので、その説明は省略する。また、オーディオシステム１１０のＣＤプレーヤ１１５における表示部１８、操作部１９、デジタル出力端子２３、左チャンネル用アナログ出力端子２４及び右チャンネル用アナログ出力端子２５は、後述の本発明の実施例のオーディオシステム１０のＣＤプレーヤ１５における表示部１８、操作部１９、デジタル出力端子２３、左チャンネル用アナログ出力端子２４及び右チャンネル用アナログ出力端子２５と同一であるので、その説明も省略する。
【０００４】
システムマイコン１１６は、ＣＤメカ部１１７にチャッキングされているＣＤ−ＤＡ（Compact Disc Digital Audio）又はデータＣＤのリードインエリアの情報をＣＤメカ部１１７から入手するとともに、ＣＤメカ部１１７へ制御信号を送って、ＣＤメカ部１１７からデジタル出力端子２３、左チャンネル用アナログ出力端子２４及び右チャンネル用アナログ出力端子２５への出力信号を制御する。
【０００５】
ＣＤ−ＤＡがＣＤメカ部１１７にチャッキングされている場合のオーディオシステム１１０からアンプ３１又はＭＤプレーヤ３２への信号出力では、後述の本発明の実施例のオーディオシステム１０の場合と同一であるので、説明を省略する。
【０００６】
データＣＤがＣＤメカ部１１７にチャッキングされている場合のオーディオシステム１１０からアンプ３１又はＭＤプレーヤ３２への信号出力について説明する。データＣＤに格納されている楽曲データは、ＭＰ３（MPEG Audio Layer-3）等の圧縮ファイル形式である。ＣＤメカ部１１７は、システムマイコン１１６からの制御に基づき、圧縮ファイル形式のデータをデコードしてから、Ｓ／ＰＤＩＦ（Sony Philips Digital Interface）フォーマットのデジタル信号を生成し、デジタル出力端子２３へ出力する。その場合、ソースは、データＣＤに格納されているＭＰ３等の圧縮ファイル形式の楽曲ファイル（オーディオファイル）であるので、デジタル出力端子２３へ出力されようとするＳ／ＰＤＩＦフォーマットのデジタル信号におけるコピー禁止ビットは、デフォルトのコピー許可に設定される。
【０００７】
ＣＤメカ部１１７が、コピー許可のＳ／ＰＤＩＦフォーマットのデジタル信号をデジタル出力端子２３へ出力すると、デジタル出力端子２３からのデジタル信号を入力されたＭＤプレーヤ３２は、該デジタル信号に基づきデジタルコピーを行ってしまうので、著作権上、問題となる。そこで、従来のオーディオシステム１１０では、データＣＤがＣＤメカ部１１７にチャッキングされている場合、デジタル出力端子２３へのデジタル出力についてはミュート、すなわち無音に設定し、左チャンネル用アナログ出力端子２４及び右チャンネル用アナログ出力端子２５へは、再生対象の楽曲ファイルに係る左右のアナログオーディオ信号がミュート無しで出力される。そして、アンプ３１及びＭＤプレーヤ３２は、その左右のアナログオーディオ信号に基づき再生音をスピーカ（図示せず）から出力したり、ＭＤに録音したりしている。
【特許文献１】特開２００１−３５１３１９号公報
【発明の開示】
【発明が解決しようとする課題】
【０００８】
データＣＤの楽曲ファイルの再生についての従来のＣＤプレーヤ１１５の問題点は次のとおりである。
【０００９】
（ａ）デジタル出力端子２３からの出力がミュートされているため、データＣＤを再生する際は、アンプ３１のようなオーディオ信号を増幅して出力するための機器に対しても、ＭＤプレーヤ３２のような録音機器に対しても、アナログ出力を行う必要がある。この場合、アンプ３１がデジタル入力可能なアンプであっても、ＣＤプレーヤ１１５とアンプ３１との間に、デジタル信号伝送用ケーブルに加えてアナログ信号伝送用ケーブルを配線する必要があった。
【００１０】
（ｂ）デジタル出力端子２３からの出力がミュートになるので、ユーザは、ＭＤプレーヤ３２等の録音機器をデジタル出力端子２３に接続してデジタル録音を行うと、無音がそのままＭＤ等の記録媒体に記録されてしまう。
【００１１】
特許文献１の再生装置は、出力するデジタル信号における属性情報を、再生対象の種類に関係なく、一律に"ｐｌａｙｅｒ"、すなわち記録禁止にして、属性情報付きデジタル信号を外部録音機器へ出力するので、ユーザが自ら楽しむためにＣＤ−ＤＡの楽曲をＭＤ等に記録する操作までもが禁止されてしまう。また、外部録音機器は、著作権に係る制御情報だけでなく、属性情報にも対応している必要がある。
【００１２】
本発明の目的は、再生対象のデジタルコンテンツデータに係るデジタル信号の出力先において、再生は該デジタル信号から支障なく行えるようにするとともに、該デジタル信号に基づく記録は禁止させることができるデジタルコンテンツ処理装置、方法及びプログラムを提供することである。
【課題を解決するための手段】
【００１３】
本発明によれば、再生対象のデジタルコンテンツデータがＰＣＭ形式であるか圧縮ファイル形式であるかを判別して、圧縮ファイル形式である場合には、該デジタルコンテンツデータを出力するデジタル通信規格における著作権管理情報をコピー第一世代にした再生デジタル信号をデジタル出力する。
【００１４】
本発明のデジタルコンテンツ処理装置は次のものを備えている。
再生対象のデジタルコンテンツデータがＰＣＭ形式であるか圧縮ファイル形式であるかを判別する判別手段、及び
再生対象のデジタルコンテンツデータが圧縮ファイル形式であると前記判別手段が判別した場合には、該デジタルコンテンツデータを出力するデジタル通信規格における著作権管理情報をコピー第一世代にした再生デジタル信号をデジタル出力するデジタル出力手段。
【００１５】
本発明のデジタルコンテンツ処理方法は次のステップを備えている。
再生対象のデジタルコンテンツデータがＰＣＭ形式であるか圧縮ファイル形式であるかを判別する判別ステップ、及び
再生対象のデジタルコンテンツデータが圧縮ファイル形式であると前記判別ステップにおいて判別した場合には、該デジタルコンテンツデータを出力するデジタル通信規格における著作権管理情報をコピー第一世代にした再生デジタル信号をデジタル出力するデジタル出力ステップ。
【００１６】
本発明のプログラムは、本発明のデジタルコンテンツ処理装置の各手段としてコンピュータを機能させる。
【発明の効果】
【００１７】
本発明によれば、再生対象のデジタルコンテンツデータがＰＣＭ形式であるか圧縮ファイル形式であるかを判別して、圧縮ファイル形式である場合には、該再生対象のデジタルコンテンツデータを出力するデジタル通信規格における著作権管理情報をコピー第一世代にして、出力する。したがって、該デジタル信号に基づくコンテンツの再生は支障なく行われるとともに、該デジタル信号に基づくコンテンツの記録は不実施にすることができる。
【発明を実施するための最良の形態】
【００１８】
図１はオーディオシステム１０の概略構成図である。オーディオシステム１０は、ＣＤプレーヤ１５、アンプ３１及びＭＤプレーヤ３２を備えている。ＣＤプレーヤ１５は、システムマイコン１６、ＣＤメカ部１７、表示部１８及び操作部１９を備えている。図示は省略しているが、アンプ３１の左右のオーディオ信号出力端子は左右のスピーカへケーブルにより接続されている。したがって、オーディオシステム１０では、楽曲の再生音を左右のスピーカから出力するようになっている。
【００１９】
ＣＤメカ部１７は、ＣＤ−ＤＡ又はデータＣＤなどのＣＤメディアをチャッキング自在になっており、システムマイコン１６からの指示に基づきチャッキング中のＣＤ−ＤＡ又はデータＣＤに係る情報をシステムマイコン１６へ送るとともに、システムマイコン１６からの指示に基づきＣＤ−ＤＡ又はデータＣＤ内の該当楽曲に係る信号をデジタル出力端子２３、左チャンネル用アナログ出力端子２４及び右チャンネル用アナログ出力端子２５へ出力する。操作部１９はユーザに操作される複数のキーを備え、キー操作情報が操作部１９からシステムマイコン１６へ送られるようになっている。システムマイコン１６は、ＣＤメカ部１７や操作部１９等からの入力信号に基づき表示部１８へ表示情報を送り、表示部１８は、システムマイコン１６からの表示情報に基づき対応の表示を実施する。
【００２０】
ＣＤプレーヤ１５のデジタル出力端子２３は、アンプ３１及びＭＤプレーヤ３２のデジタル入力端子へ接続される。ＣＤプレーヤ１５の左チャンネル用アナログ出力端子２４及び右チャンネル用アナログ出力端子２５は、ＭＤプレーヤ３２の左右のアナログ入力端子へ接続される。オーディオシステム１０では、オーディオシステム１１０（図６）の場合と異なり、ＣＤプレーヤ１５−アンプ３１間のアナログ信号線を省略しているが、この理由は、後述するように、それがなくても、ＣＤプレーヤ１５からのデジタル信号のみを使って、支障なく再生できる為である。
【００２１】
図２はサブＱコードの周知の構造図である。なお、ＣＤ−Ｒ（Compact Disk Recordable）は、周知のように、内周側から外周側へ順番に、ＰＣＡ（Power Calibration Area）、ＰＭＡ（Program Memory Area）、リードイン、プログラム領域及びリードアウトの各領域が配置されている。サブＱコードは例えばリードインの領域に書込まれているものを参照する。
【００２２】
図２において、サブＱコードのコントロール領域（Ｃｏｎｔｒｏｌ）は、０〜３番の計４ビットを備える。そして、１番のビットが"０"である場合は、コピー禁止を意味し、"１"である場合は、コピー許可を意味し、また、４〜１０Ｈｚで"０"と"１"との交番となっている場合（"０"と"１"との交互の繰り返しで出現する場合）は、コピー第一世代を意味する。
【００２３】
また、サブＱコードのコントロール領域の２番のビットは、該サブＱコードを格納していたディスクがＣＤ−ＤＡであるかデータＣＤであるかを示す。該２番のビットが"０"であるならば、それはＣＤ−ＤＡを意味し、"１"であるならば、データＣＤであることを意味する。
【００２４】
図３はディスク別デジタル信号処理方法４０のフローチャートである。ディスク別デジタル信号処理方法４０はＣＤプレーヤ１５において実施される。Ｓ４１では、ディスクのデータ読み出し（ＤｉｓｃＲｅａｄ）要求があるか否かを判定し、該要求があれば、Ｓ４２へ進み、該要求がなければ、ディスク別デジタル信号処理方法４０を直ちに終了する。
【００２５】
Ｓ４２では、チャッキング中のディスクがＣＤメカ部１７にあるか否かを判定し、判定が正であれば、Ｓ４３へ進み、否であれば、ディスク別デジタル信号処理方法４０を終了する。Ｓ４３では、チャッキング中のディスクのリードインエリアからサブＱコードを取得する。
【００２６】
Ｓ４４では、Ｓ４３で取得したサブＱコードのコントロールビットの２番は"１"であるか否かを判定する。そして、"１"であれぱ、Ｓ４８へ進んで、ＣＤメカ部１７にチャッキング中のディスクはデータＣＤと判断する。また、"０"であれば、Ｓ５２へ進んで、ＣＤ−ＤＡと判断する。
【００２７】
Ｓ４９では、データＣＤから読み出した楽曲ファイル（オーディオファイル）のデジタルデータをデコードして、ＰＣＭ形式のデジタル信号を生成し、該デジタル信号からＳ／ＰＤＩＦフォーマットのデジタル信号を生成する。Ｓ４９では、さらに、Ｓ／ＰＤＩＦフォーマットのチャンネルステータスのコピー禁止ビットを"０／１"交番に設定して、すなわちコピー第一世代に設定し、この設定後のＳ／ＰＤＩＦフォーマットのデジタル信号をデジタル出力端子２３へ出力する。これに対して、Ｓ５３では、ディスクのサブＱコードをそのままＳ／ＰＤＩＦフォーマットの対応ビットの値にして、デジタル出力端子２３へ出力する。
【００２８】
一方、ＭＤプレーヤ３２は、ディスク別デジタル信号処理方法４０におけるＳ４９の処理を経たデジタル信号をデジタル出力端子２３から供給されると、著作権情報がコピー第一世代となっているので、録音を中止する。従来のオーディオシステム１１０（図６）におけるＭＤプレーヤ３２では、コピー第一世代情報ではなく、著作権情報がコピー許可でかつ無音のデジタル信号が送られて来るので、無音の録音がなされてしまうのに対し、オーディオシステム１０におけるＭＤプレーヤ３２では、録音は不実施となるので、ＭＤに無音のトラックが作成されてしまう事態を防止することができる。
【００２９】
また、アンプ３１は、この場合、記録ではなく、再生に関与しているので、ディスク別デジタル信号処理方法４０におけるＳ４９の処理を経たデジタル信号をデジタル出力端子２３から供給されても、再生処理を中止することなく、デジタル出力端子２３からのデジタル信号に対して所定のデコードを行って、オーディオデジタル信号を生成し、さらに、それからデジタル／アナログ変換により左右のアナログオーディオ信号を生成する。そして、該左右のアナログオーディオ信号は、適当に増幅されてから、左右のスピーカ（図示せず）へ出力して、オーディオとして出力される。
【００３０】
データＣＤの楽曲ファイルに係る楽曲を再生する場合に、デジタル出力端子２３の出力がミュートになってしまう従来のＣＤプレーヤ１１５（図６）に対して、このＣＤプレーヤ１５では、ミュートに代えて、著作権情報をコピー第一世代にすることが行われるので、ＣＤプレーヤ１５−アンプ３１の間に、デジタル信号用のケーブルの他に、アナログ信号用のケーブルを配線する手間が省ける。また、再生音のミュートを回避するために、ユーザがアンプ３１の入力をデジタルからアナログへ切替える手間を省略することができる。
【００３１】
アンプ３１及びＭＤプレーヤ３２は、ディスク別デジタル信号処理方法４０におけるＳ５３の処理を経たデジタル信号を供給される場合には、該デジタル信号における著作権情報は、ＣＤメカ部１７にチャッキング中のＣＤ−ＤＡのサブＱコードにおける著作権情報に一致しているので、該ＣＤ−ＤＡの著作権情報に対応する処理を実施する。すなわち、該ＣＤ−ＤＡの著作権情報がコピー許可であれば、アンプ３１は、該ＣＤ−ＤＡのトラックを再生し、ＭＤプレーヤ３２は、該トラックをコピーする。また、該ＣＤ−ＤＡの著作権情報がコピー禁止又はコピー第一世代であれば、アンプ３１は、該ＣＤ−ＤＡのトラックを再生し、ＭＤプレーヤ３２は、該トラックをコピーしない。
【００３２】
なお、従来のオーディオシステム１１０（図６）において実施されるディスク別デジタル信号処理方法は、Ｓ４９のみが一部異なっている。すなわち、Ｓ／ＰＤＩＦフォーマットのデジタル信号を生成するものの、Ｓ／ＰＤＩＦフォーマットのチャンネルステータスのコピー禁止ビットをコピー第一世代にすることはしていない。
【００３３】
図４はデジタルコンテンツ処理装置６０のブロック図である。前述のＣＤプレーヤ１５（図１）はデジタルコンテンツ処理装置６０の一例である。デジタルコンテンツ処理装置６０の処理対象のデジタルコンテンツは、オーディオに限定されず、ビデオやその他であってもよい。デジタルコンテンツ処理装置６０は判別手段６１及びデジタル出力手段６２を備える。典型的なデジタル出力手段６２は、第１の変換手段６７、第２の変換手段６８及び著作権管理情報付与手段６９を備える。
【００３４】
判別手段６１は、再生対象のデジタルコンテンツデータがＰＣＭ形式であるか圧縮ファイル形式であるかを判別する。デジタル出力手段６２は、再生対象のデジタルコンテンツデータが圧縮ファイル形式であると前記判別手段６１が判別した場合には、該デジタルコンテンツデータに係る再生デジタル信号における著作権管理情報をコピー第一世代にして、該再生デジタル信号を外部へ出力する。
【００３５】
例えば、判別手段６１は、再生対象のデジタルコンテンツデータがＰＣＭ形式であるか圧縮ファイル形式であるかを、該デジタルコンテンツデータが格納されている記録媒体がＣＤ−ＤＡであるかデータＣＤであるかの判別に基づき判別する。さらなる具体例では、判別手段６１は、再生対象のデジタルコンテンツデータが格納されている記録媒体がＣＤ−ＤＡであるかデータＣＤであるかを、記録媒体のリードインエリアのサブＱコードのコントロールビットの値（図２では、コントロール領域の２番のビット値）から判別する。
【００３６】
こうして、デジタルコンテンツ処理装置６０では、圧縮ファイル形式のデジタルコンテンツデータについては、著作権管理情報をコピー第一世代にして、該デジタルコンテンツデータに係る再生デジタル信号を出力することになっているので、その出力に基づき再生を行う機器では、支障なく再生が行われ、また、その出力に基づき記録を行う機器では、記録が不実施とされ、結果、著作権が保護されるとともに、空データの記録トラックや記録ファイル等が生成されることも防止することができる。
【００３７】
デジタル出力手段６２において、第１の変換手段６７は、再生対象のデジタルコンテンツデータが圧縮ファイル形式である場合には、該デジタルコンテンツデータをデコードしてＰＣＭ形式のデジタル信号へ変換する。第２の変換手段６８は、第１の変換手段６７による変換後のＰＣＭ形式のデジタル信号をデジタル通信規格のデジタル信号へ変換する。著作権管理情報付与手段６９は、再生対象のデジタルコンテンツデータが圧縮ファイル形式である場合には、前記第２の変換手段６８による変換後のデジタル通信規格のデジタル信号を、その著作権管理情報をコピー第一世代にして、出力する。
【００３８】
デジタル通信規格の具体例はＳ／ＰＤＩＦフォーマットである。デジタル出力手段６２の出力デジタル信号を利用して再生又は記録等を行う機器は、該デジタル信号をケーブルを介して供給されても、無線で供給されてもよい。
【００３９】
図５はデジタルコンテンツ処理方法８０のフローチャートである。デジタルコンテンツ処理方法８０はデジタルコンテンツ処理装置６０において実施される。図３のディスク別デジタル信号処理方法４０はデジタルコンテンツ処理方法８０の一例である。
【００４０】
Ｓ８１では、再生対象のデジタルコンテンツデータがＰＣＭ形式であるか圧縮ファイル形式であるかを判定し、判定が正であれば、Ｓ８２へ進み、否であれば、Ｓ８３へ進む。Ｓ８２はディスク別デジタル信号処理方法４０（図３）のＳ４９に対応し、Ｓ８２では、該デジタルコンテンツデータに係る再生デジタル信号における著作権管理情報をコピー第一世代にして、該再生デジタル信号を外部へ出力し、デジタルコンテンツ処理方法８０を終了する。Ｓ８３は、ディスク別デジタル信号処理方法４０（図３）のＳ５３に対応している。Ｓ８３では、再生対象であってＰＣＭ形式であるデジタルコンテンツデータをそのまま出力する。
【００４１】
Ｓ８１，Ｓ８２の処理は、デジタルコンテンツ処理装置６０（図４）の判別手段６１及びデジタル出力手段６２の機能にそれぞれ対応している。したがって、判別手段６１及びデジタル出力手段６２の機能について述べた具体的態様はＳ８１，Ｓ８２の処理についての具体的態様としても適用可能である。デジタルコンテンツ処理方法８０では、また、デジタルコンテンツ処理装置６０の第１の変換手段６７、第２の変換手段６８及び著作権管理情報付与手段６９の機能に対応する処理を実行するステップを適宜、追加可能である。該追加ステップは、Ｓ８２内に、そのサブステップとして追加される。
【００４２】
本発明を適用したプログラムは、コンピュータをデジタルコンテンツ処理装置６０の各手段として機能させる。本発明を適用した別のプログラムは、デジタルコンテンツ処理方法８０の各ステップをコンピュータに実行させる。
【００４３】
本明細書は様々な発明を開示している。それら発明は、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４４】
【図１】オーディオシステムの概略構成図である。
【図２】サブＱコードの周知の構造図である。
【図３】ディスク別デジタル信号処理方法のフローチャートである。
【図４】デジタルコンテンツ処理装置のブロック図である。
【図５】デジタルコンテンツ処理方法のフローチャートである。
【図６】従来のＣＤプレーヤを装備するオーディオシステムの概略構成図である。
【符号の説明】
【００４５】
６０：デジタルコンテンツ処理装置、６１：判別手段、６２：デジタル出力手段、６７：第１の変換手段、６８：第２の変換手段、６９：著作権管理情報付与手段、８０：デジタルコンテンツ処理方法。
【図１】
2009099183.tif 000003
【図２】
2009099183.tif 000004
【図３】
2009099183.tif 000005
【図４】
2009099183.tif 000006
【図５】
2009099183.tif 000007
【図６】
2009099183.tif 000008